(57)【要約】【課題】公共交通機関の運行が終了または停止したような状態において翌日に予定があるような場合に、自宅に帰宅すべきか否かを判定するための情報を得ることを可能とする。【解決手段】算出部２２は、ユーザの自宅への帰宅に必要な移動時間および料金を算出する。また、算出部２２は、現在時刻から所定時間内に開始時刻が含まれる最先の予定イベントの開催場所を目的地とし開始時刻を到着時刻とし、運行情報および宿泊情報に基づいて自宅から目的地に向かう場合に必要な移動時間および料金、現在位置周辺の宿泊施設から目的地に向かう場合に必要な移動時間および料金をそれぞれ算出する。比較提示部２５は、現在位置から自宅に帰宅した後に目的地に向かった場合の移動時間、料金の合計と、現在位置の周辺の宿泊施設に宿泊して目的地に向かった場合の移動時間、料金とを予め設定された条件に基づいて比較して、その比較結果をユーザに提示する。【選択図】図２
2014174130.tif 000002
【特許請求の範囲】
【請求項１】
現在位置を検出する現在位置検出手段と、
公共交通機関の運行情報を取得する運行情報取得手段と、
前記運行情報取得手段により取得された運行情報に基づいて、自宅への帰宅方法を決定して、当該帰宅方法に必要な移動時間および料金を算出する第１の算出手段と、
開始時刻および開催場所の情報が各予定イベント毎に登録されたスケジュールデータを格納するスケジュールデータ格納手段と、
現在位置周辺の宿泊施設の料金および空室情報を宿泊施設情報として取得する宿泊情報取得手段と、
前記スケジュールデータ格納手段に格納されているスケジュールデータを参照して、現在時刻から所定時間内に開始時刻が含まれる最先の予定イベントの開催場所を目的地とし開始時刻を到着時刻として、前記運行情報取得手段により得られた運行情報および前記宿泊情報取得手段により得られた宿泊情報に基づいて、自宅から前記目的地に向かう場合に必要な移動時間および料金と、現在位置周辺の宿泊施設から前記目的地に向かう場合に必要な移動時間および料金をそれぞれ算出する第２の算出手段と、
前記第１および第２の算出手段により算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して、その比較結果を提示する提示手段と、
を備えた携帯情報端末装置。
【請求項２】
前記提示手段は、現在位置から自宅に帰宅した後に目的地に向かった場合の睡眠可能時間と、現在位置の周辺の宿泊施設に宿泊して目的地に向かった場合の睡眠可能時間とをさらに考慮して予め設定された条件に基づく比較を行い、その比較結果を提示する請求項１記載の携帯情報端末装置。
【請求項３】
前記第１の算出手段は、前記運行情報取得手段により取得された運行情報によれば公共交通機関の運行が終了または休止している場合、現在位置から自宅までタクシーまたは徒歩によって移動した場合の移動時間および料金を算出する請求項１または２記載の携帯情報端末装置。
【請求項４】
現在位置を検出するステップと、
公共交通機関の運行情報を取得するステップと、
取得された運行情報に基づいて、自宅への帰宅方法を決定して、当該帰宅方法に必要な移動時間および料金を算出する第１の算出ステップと、
現在位置周辺の宿泊施設の料金および空室情報を宿泊施設情報として取得するステップと、
開始時刻および開催場所の情報が各予定イベント毎に登録されたスケジュールデータを参照して、現在時刻から所定時間内に開始時刻が含まれる最先の予定イベントの開催場所を目的地とし開始時刻を到着時刻として、取得された運行情報および宿泊情報に基づいて、自宅から前記目的地に向かう場合に必要な移動時間および料金と、現在位置周辺の宿泊施設から前記目的地に向かう場合に必要な移動時間および料金をそれぞれ算出する第２の算出ステップと、
前記第１および第２の算出ステップにおいて算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して、その比較結果を提示するステップとをコンピュータに実行させるためのプログラム。
【発明の詳細な説明】
【技術分野】
【０００１】
本発明は、現在地を検出して目的地までの経路案内を行うことが可能な携帯情報端末装置およびプログラムに関する。
【背景技術】
【０００２】
近年、スマートフォン等の携帯情報端末装置の普及に伴い、現在位置から目的地に到着するための最適なルート、必要な料金や時間等の情報を簡単に知ることができるようになってきている。
【０００３】
例えば、特許文献１に開示されているナビゲーション装置では、利用者がある目的地に向かう際に、往路だけでなく復路（帰路）についても考慮した最適ルート案内を行って利用者に有益な情報を提供するものである。
【０００４】
このような特許文献１に開示されている技術等によれば、予定到着時刻に目的地に到着するためには出発地を何時に出発すれば良いか、移動時間はどのくらいかかるのか、どのルートを選択すれば料金が安くなるか等の情報を得ることができる。
【先行技術文献】
【特許文献】
【０００５】
【特許文献１】特開２０１３−２８４４号公報
【発明の概要】
【発明が解決しようとする課題】
【０００６】
しかし、上記で説明したような従来技術では、公共交通機関の終電が出発してしまった後のような深夜の時間帯に自宅等を目的地として経路探索を行っても、翌朝の始発に乗って自宅に帰宅するような移動方法しか提示することができない。その結果、従来技術では、公共交通機関が終了したような場合には、有効な経路案内を行うことができないという問題がある。
【０００７】
そのため、例えば、会社に近い場所で深夜まで飲酒をしてしまって終電が無くなってしまった場合に、終夜バス、タクシー、徒歩等を利用して自宅まで無理して帰宅したとしても、翌日の早朝に会社で重要な会議や他の会社で打ち合わせがある場合には、ほとんど睡眠をとらずに自宅を出発しなければならないようなことにもなる。
【０００８】
また、深夜のように公共交通機関が終了した場合だけでなく、災害や事故等により公共交通機関が停止してしまい通常の方法では自宅に帰宅することができないような場合もある。
【０００９】
このような場合において、利用者はどのような行動をとるべきかを検討するためには様々な条件を検討する必要があり、どのような行動をすべきであるかをすぐには決めることが出来ないという問題がある。
【００１０】
本発明の目的は、公共交通機関の運行が終了または停止したような状態において翌日に予定があるような場合に、自宅に帰宅すべきか否かを判定するための情報を得ることが可能な携帯情報端末装置およびプログラムを提供することである。
【課題を解決するための手段】
【００１１】
上記目的を達成するために、本発明の携帯情報端末装置は、現在位置を検出する現在位置検出手段と、
公共交通機関の運行情報を取得する運行情報取得手段と、
前記運行情報取得手段により取得された運行情報に基づいて、自宅への帰宅方法を決定して、当該帰宅方法に必要な移動時間および料金を算出する第１の算出手段と、
開始時刻および開催場所の情報が各予定イベント毎に登録されたスケジュールデータを格納するスケジュールデータ格納手段と、
現在位置周辺の宿泊施設の料金および空室情報を宿泊施設情報として取得する宿泊情報取得手段と、
前記スケジュールデータ格納手段に格納されているスケジュールデータを参照して、現在時刻から所定時間内に開始時刻が含まれる最先の予定イベントの開催場所を目的地とし開始時刻を到着時刻として、前記運行情報取得手段により得られた運行情報および前記宿泊情報取得手段により得られた宿泊情報に基づいて、自宅から前記目的地に向かう場合に必要な移動時間および料金と、現在位置周辺の宿泊施設から前記目的地に向かう場合に必要な移動時間および料金をそれぞれ算出する第２の算出手段と、
前記第１および第２の算出手段により算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して、その比較結果を提示する提示手段とを備えている。
【００１２】
本発明では、公共交通機関の運行情報や現在位置周辺の宿泊施設の宿泊施設情報を取得し、スケジュールデータを参照して現在時刻から所定時間内の予定イベントを確認することにより、自宅に帰宅してから目的地に向かった場合の移動時間、料金の合計と、現在位置の周辺の宿泊施設に宿泊して目的地に向かった場合の移動時間、料金との、予め設定された条件に基づいた比較結果をユーザに提示する。
【００１３】
そのため、本発明によれば、このような比較結果を参照したユーザは、公共交通機関の運行が終了または停止したような状態において翌日に予定があるような場合に、自宅に帰宅すべきか否かを判定するための情報を得ることが可能になる。
【００１４】
また、本発明の携帯情報端末装置では、前記提示手段は、現在位置から自宅に帰宅した後に目的地に向かった場合の睡眠可能時間と、現在位置の周辺の宿泊施設に宿泊して目的地に向かった場合の睡眠可能時間とをさらに考慮して予め設定された条件に基づく比較を行い、その比較結果を提示するようにしても良い。
【００１５】
本発明によれば、ユーザは、自宅に帰宅してから目的地に向かった場合と、現在位置の周辺の宿泊施設に宿泊して目的地に向かった場合とで、どちらの場合が睡眠可能時間が長いかを知ることが可能となる。
【００１６】
また、本発明の携帯情報端末装置では、前記第１の算出手段は、前記運行情報取得手段により取得された運行情報によれば公共交通機関の運行が終了または休止している場合、現在位置から自宅までタクシーまたは徒歩によって移動した場合の移動時間および料金を算出する。
【００１７】
本発明によれば、公共交通機関の運行が終了または休止している場合でも、公共交通機関の始発や再開を待つことなく、自宅への帰宅方法を決定して、現在位置から自宅までの帰宅に必要な移動時間および料金を算出することが可能となる。
【００１８】
さらに、本発明のプログラムは、現在位置を検出するステップと、
公共交通機関の運行情報を取得するステップと、
取得された運行情報に基づいて、自宅への帰宅方法を決定して、当該帰宅方法に必要な移動時間および料金を算出する第１の算出ステップと、
現在位置周辺の宿泊施設の料金および空室情報を宿泊施設情報として取得するステップと、
開始時刻および開催場所の情報が各予定イベント毎に登録されたスケジュールデータを参照して、現在時刻から所定時間内に開始時刻が含まれる最先の予定イベントの開催場所を目的地とし開始時刻を到着時刻として、取得された運行情報および宿泊情報に基づいて、自宅から前記目的地に向かう場合に必要な移動時間および料金と、現在位置周辺の宿泊施設から前記目的地に向かう場合に必要な移動時間および料金をそれぞれ算出する第２の算出ステップと、
前記第１および第２の算出ステップにおいて算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して、その比較結果を提示するステップとをコンピュータに実行させる。
【発明の効果】
【００１９】
本発明によれば、公共交通機関の運行が終了または停止したような状態において翌日に予定があるような場合に、自宅に帰宅すべきか否かを判定するための情報を得ることが可能になるという効果を得ることができる。
【図面の簡単な説明】
【００２０】
【図１】本発明の一実施形態の携帯情報端末装置１０の概観を示す図である。
【図２】本発明の一実施形態の携帯情報端末装置１０の構成を示すブロック図である。
【図３】スケジュールデータ格納部１４に格納されるスケジュールデータの一例を説明するための図である。
【図４】本発明の一実施形態の携帯情報端末装置１０において、場所名と位置情報とを対応させて記憶している様子を説明するための図である。
【図５】本発明の一実施形態の携帯情報端末装置１０の動作を説明するためのフローチャートである。
【図６】本発明の一実施形態の携帯情報端末装置１０の動作を説明するための図である。
【図７】本発明の一実施形態の携帯情報端末装置１０において表示される比較結果の一例を示す図である。
【発明を実施するための形態】
【００２１】
次に、本発明の実施の形態について図面を参照して詳細に説明する。
【００２２】
先ず、本発明の一実施形態の携帯情報端末装置１０の外観を図１に示す。本実施形態の携帯情報端末装置１０は、いわゆるスマートフォンであり、内部に有するＧＰＳ受信機により得られた位置情報により現在位置を地図上に表示したり、指定された目的地までユーザを経路案内するような機能を有している。図１では、現在位置の周辺の地図情報とともに現在位置がマークとして表示されている。
【００２３】
なお、本実施形態では、スマートフォンに本発明を適用した場合を用いて説明するが、本発明はこのような場合に限定されるものではない。ＧＰＳ受信機を備えて携帯可能な端末装置であれば、タブレット端末装置、ノートパソコン、歩行者用のナビゲーション装置等の他の携帯情報端末装置に対しても同様に本発明を適用することができるものである。
【００２４】
次に、本発明の一実施形態の携帯情報端末装置１０の構成を図２のブロック図に示す。
【００２５】
本実施形態の携帯情報端末装置１０は、図２に示されるように、ＧＰＳ（Global Positioning System)受信機１１と、地図情報格納部１２と、音声出力部１３と、スケジュールデータ格納部１４と、表示部１５と、操作部１６と、記憶部１７と、通信部１８と、制御部２０とを備えている。
【００２６】
制御部２０は、ＣＰＵ、ＲＯＭ、ＲＡＭ（何れも不図示）からなるプロセッサで構成され、ＲＯＭ、ＲＡＭに記録された制御プログラムに基づいて所定の処理を実行して、携帯情報端末装置１０の各部の動作を制御する。なお、本実施形態では、制御部２０は、ＲＯＭやＲＡＭに記録された制御プログラムを読み出して実行するものとして説明したが、この制御プログラムをＣＤ−ＲＯＭ、ＤＶＤ−ＲＯＭ等の記憶媒体に格納して制御部２０に提供することも可能である。
【００２７】
そして、制御部２０は、上記の制御プログラムが実行されることにより、経路探索／案内部２１と、運行情報取得部２２と、宿泊施設情報取得部２３と、算出部２４と、比較提示部２５という機能構成が実現される。
【００２８】
ＧＰＳ受信機１１は、携帯情報端末装置１０の現在位置や進行方向を検出するものであり、例えば、地球上空を周回している３個以上のＧＰＳ衛星から時刻情報及び位置情報を含む電波を受信して処理することにより現在位置を検出する現在位置検出手段として動作する。
【００２９】
地図情報格納部１２には、道路種別、車線数、道路の幅員等の情報を含む道路データや、コンビニエンスストア、ガソリンスタンド等の施設の位置、種別、名称等の情報を含む施設データや、海岸線、湖沼、河川形状などの情報や行政境界情報等を含む地形データ等の地図情報が格納されている。
【００３０】
音声出力部１３は、経路案内の際の音声ガイダンスや、携帯情報端末装置１０の操作に必要な音声、警告等のブザー音等を出力するスピーカなどで構成される。
【００３１】
スケジュールデータ格納部１４は、開始時刻および開催場所の情報が各予定イベント毎に登録されたスケジュールデータを格納する。
【００３２】
なお、地図情報格納部１２とスケジュールデータ格納部１４は独立した構成とする必要はなく、例えば、同一のＨＤＤ装置上において実現されるようにしても良い。
【００３３】
次に、このスケジュールデータ格納部１４に格納されるスケジュールデータの一例について図３を参照して説明する。
【００３４】
この図３に示されたスケジュールデータは、いわゆるスケジュール帳機能を実現するためのデータであり、予定イベントが、日時情報、予定内容、開催場所等の情報とともに登録されている。例えば、図３に示されるスケジュールデータには、３月１４日（木）の９：００から会社において社内会議に参加するという予定イベントが登録されている。
【００３５】
そして、図３に示すスケジュールデータでは、開催場所が場所名で登録されているが、この場所名に対応させて位置情報が予め登録されている。例えば、本実施形態の携帯情報端末装置１０では、図４に示すように、場所名と位置情報とが対応されて記憶されている。なお、スケジュールデータに、図４に示すような位置情報が直接登録されるような構成とすることも可能である。
【００３６】
表示部１５は、地図情報格納部１２に格納された地図情報に基づく地図画像、目的地まで到達するために探索された経路、現在位置を示す現在位置マーク等を表示し、また操作部１６による入力作業のための画面を表示するものであり、例えば、液晶パネルによって構成される。また、表示部１５は、後述する比較提示部２５における比較提示結果を表示する。なお、本実施形態では、表示部１５はタッチパネルとなっているので、操作部１６の機能をも合わせ持っていることになる。
【００３７】
操作部１６は、ユーザによって操作され、スケジュールデータにおける予定イベントの登録や、目的地や経由地等の経路探索条件や、各種の設定を入力する際に使用される。
【００３８】
記憶部１７は、運行情報取得部２２により取得された公共交通機関の運行情報、宿泊施設情報取得部２３により取得された宿泊施設情報、目的地まで到達するために探索された経路や操作部１６を介して設定された目的地等の各種情報を記憶するものであり、ハードディスクやフラッシュメモリなどの記憶媒体で構成される。なお、記憶部１７として独立した構成とする必要はなく、例えば、制御部２０のＲＡＭを記憶部１７としてもよい。
【００３９】
通信部１８は、外部機器との間で通信を行うことにより各種データや情報を受け取る機能を備えている。具体的には、通信部１８は、携帯電話通信網の無線基地局との間で通信を行うことにより、各種データや情報を送受信したり、無線ＬＡＮを介してインターネットに接続して各種データや情報を送受信する機能を有する。
【００４０】
経路探索／案内部２１は、ＧＰＳ受信機１１等によって検出された現在位置からユーザが操作部１６を介して設定した目的地までの経路（案内経路）を、地図情報格納部１２に格納された地図情報を参照して探索する。そして、経路探索／案内部２１は、ＧＰＳ受信機１１により得られた現在位置の情報と、探索された経路とに基づいて目的地までの経路案内を行う。
【００４１】
運行情報取得部２３は、通信部１８を介してデータの送受信を行うことにより、電車、バス等の公共交通機関の運行情報を取得する。この運行情報には、ダイヤ情報だけでなく、事故や災害等により運行が停止していないか正常に運行が行われているか等の運行状況に関する情報も含まれる。
【００４２】
宿泊施設情報取得部２４は、通信部１８を介してデータの送受信を行うことにより、現在位置周辺の宿泊施設の料金および空室情報を宿泊施設情報として取得する。なお、どのような宿泊施設があるかという情報については、宿泊施設情報取得部２４によって取得するのではなく、予め携帯情報端末装置１０内に格納しておくようにすることも可能である。この場合には、宿泊施設情報取得部２４は、料金情報や空室情報のみを取得することになる。
【００４３】
算出部２２は、運行情報取得部２２により取得された運行情報に基づいて、ユーザの自宅への帰宅方法を決定して、その帰宅方法に必要な移動時間および料金を算出する（第１の算出手段）。
【００４４】
ここで、算出部２２は、運行情報取得部２２により取得された運行情報によれば公共交通機関の運行が終了または休止している場合、現在位置から自宅までタクシーまたは徒歩によって移動した場合の移動時間および料金を算出する。
【００４５】
また、算出部２２は、スケジュールデータ格納部１４に格納されているスケジュールデータを参照して、現在時刻から所定時間内（例えば、１２時間以内）に開始時刻が含まれる最先の予定イベントの開催場所を目的地とし開始時刻を到着時刻として、運行情報取得部２２により得られた運行情報および宿泊情報取得部２３により得られた宿泊情報に基づいて、自宅から目的地に向かう場合に必要な移動時間および料金と、現在位置周辺の宿泊施設から目的地に向かう場合に必要な移動時間および料金をそれぞれ算出する（第２の算出手段）。
【００４６】
比較提示部２５は、算出部２４により算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して、その比較結果をユーザに提示する。
【００４７】
また、比較提示部２５は、現在位置から自宅に帰宅した後に目的地に向かった場合の睡眠可能時間と、現在位置の周辺の宿泊施設に宿泊して目的地に向かった場合の睡眠可能時間とをさらに考慮して予め設定された条件に基づく比較を行い、その比較結果を提示する。
【００４８】
ここで、睡眠可能時間とは、例えば、ユーザが自宅または宿泊施設に到着してから出発するまでの間の時間であり、最大どの程度の睡眠をとることが可能であるかを示す時間である。
【００４９】
次に、本実施形態の携帯情報端末装置１０の動作について図面を参照して詳細に説明する。
【００５０】
例えば、終電が既に出発してしまい公共交通機関の運行が終了したような深夜に、ユーザが本実施形態の携帯情報端末装置１０を操作した場合を用いて説明する。
【００５１】
先ず、運行情報取得部２３は、通信部１８を介してデータの送受信を行うことにより、電車、バス等の公共交通機関の運行情報を取得する（ステップＳ１０１）。しかし、ここでは深夜であるため公共交通機関の運行は既に終了しているので、運行情報取得部２２により取得された運行情報には、始発以降のダイヤ情報しか含まれていない。そのため、算出部２２は、公共交通機関の運行は既に終了していると判定して、ユーザの自宅への帰宅方法としてタクシーまたは徒歩を選択する（ステップＳ１０２）。
【００５２】
なお、このような場合、算出部２２は、自宅への帰宅方法として、タクシーまたは徒歩のいずれかを選択するようにして必要な移動時間および料金を算出してもよいし、両方を選択して、それぞれの帰宅方法に必要な移動時間および料金を算出するようにしても良い。
【００５３】
例えば、算出部２２は、図６に示すように、ユーザが現在位置から自宅４０に帰宅する場合の帰宅方法として徒歩を選択した場合、移動時間は５時間であり、必要な料金は０円であると算出する。また、算出部２２は、ユーザが現在位置から自宅４０に帰宅する場合の帰宅方法としてタクシーを選択した場合、移動時間は５０分であるが必要な料金は５０００円であると算出する
【００５４】
そして、算出部２２は、スケジュールデータ格納部１４に格納されているスケジュールデータを参照して、時間情報および場所情報を含む予定イベントのデータがあるか否かを判定する（ステップＳ１０３）。
【００５５】
このステップＳ１０３において、時間情報および場所情報を含む予定イベントがスケジュールデータに登録されていない場合（ステップＳ１０３においてｎｏ）、処理は終了する。
【００５６】
また、ステップＳ１０３において、時間情報および場所情報を含む予定イベントがスケジュールデータに登録されている場合（ステップＳ１０３においてｙｅｓ）、算出部２２は、現在時刻から所定時間内（例えば、１２時間以内）に開始時刻が含まれる最先の予定イベントを取得する（ステップＳ１０４）。
【００５７】
例えば、現在の日時および時刻が３月１４日の午前０時５０分の場合、算出部２２は、図３に示したスケジュールデータから、３月１４日（木）の９：００〜１０：００、開催場所：会社の予定イベントの情報を所得する。また、図４に示すように場所名と、緯度経度からなる位置情報とが対応して記憶されているため、算出部２２は、場所名「会社」の位置情報も取得する。
【００５８】
そして、算出部２２は、ステップＳ１０４において取得した予定イベントの開催場所を目的地とし開始時刻を到着時刻として設定する（ステップＳ１０５）。
【００５９】
次に、宿泊施設情報取得部２４は、通信部１８を介してデータの送受信を行うことにより、現在位置周辺の宿泊施設の料金および空室情報を宿泊施設情報として取得する（ステップＳ１０６）。
【００６０】
例えば、図６に示すように、ユーザの現在位置周辺の宿泊施設６０として、ビジネスホテルやネットカフェ等の情報を宿泊料金や空室情報とともに取得する。
【００６１】
次に、算出部２２は、運行情報取得部２２により得られた運行情報および宿泊情報取得部２３により得られた宿泊情報に基づいて、現在位置周辺の宿泊施設から目的地に向かう場合に必要な移動時間および料金を算出し（ステップＳ１０７）、自宅から目的地に向かう場合に必要な移動時間および料金を算出する（ステップＳ１０８）。
【００６２】
例えば、算出部２２は、現在位置周辺の宿泊施設６０から目的地である会社５０に向う場合に必要な移動時間は２０分、料金が０円であると算出する。また、算出部２２は、自宅から目的地である会社５０に向かう場合に必要な移動時間は４０分であり、この区間はユーザが定期券を所有する区間であるため移動に必要な料金は０円であると算出する。
【００６３】
そして、比較提示部２５は、算出部２４により算出された移動時間および料金に基づいて、現在位置から自宅に帰宅した後に目的地に向かった場合の移動時間、料金の合計と、現在位置の周辺の宿泊施設に宿泊して目的地に向かった場合の移動時間、料金とを、予め設定された条件に基づいて比較して（ステップＳ１０９）、その比較結果をユーザに提示する（ステップＳ１１０）。
【００６４】
例えば、図７に示すように、携帯情報端末装置１０のディスプレイ（表示部１５）には、現在時刻の直近の予定イベントとして、朝９：００から会社において社内会議がある旨が示されるとともに、周辺に宿泊してから会社に行く場合の料金、移動時間、睡眠可能時間と、自宅に帰宅してから会社に行く場合の料金、移動時間、睡眠可能時間との比較結果が表示される。
【００６５】
つまり、本実施形態の携帯情報端末装置１０では、現在位置→自宅４０→会社５０（目的地）という行動を選択すべきなのか、現在位置周辺の宿泊施設６０→会社５０（目的地）という行動を選択すべきなのかを判定するために必要な情報が提示される。
【００６６】
なお、この図７に示した表示例では、提示順として、料金の安い順に比較結果が示されているが、他の提示順が予め設定されている場合には、その提示順に従った順序で比較結果が表示される。例えば、移動時間の短い順、睡眠可能時間が長い順等の他の提示順が設定されている場合には、その提示順に従った順序で比較結果が表示される。そして、この提示順は、ユーザの操作により切り替えることが可能であり、比較結果が表示された後でも条件を切り替えることにより提示順を切り替えることが可能となっている。
【００６７】
このように、本実施形態の携帯情報端末装置１０では、公共交通機関の運行情報や現在位置周辺の宿泊施設の宿泊施設情報を取得し、スケジュールデータを参照して現在時刻から所定時間内の予定イベントを確認することにより、自宅に帰宅してから目的地に向かった場合の移動時間、料金の合計、睡眠可能時間と、現在位置の周辺の宿泊施設に宿泊して目的地に向かった場合の移動時間、料金、睡眠可能時間とが比較されて表示される。
【００６８】
そのため、本実施形態によれば、公共交通機関の運行が終了または停止したような状態において翌日に予定があるような場合でも、ユーザは、このような比較結果を参照して、確保できる睡眠時間、必要な出費および必要な移動時間等を考慮して、自宅に帰宅すべきか否かを判定することが可能となる。
【００６９】
例えば、図７に示した例では、自宅にタクシーを使って帰宅した場合にはタクシー代として５０００円もの出費があるのに対して、現在位置周辺の宿泊施設に宿泊してから翌朝に会社に出社すれば宿泊代が２８００円でかえって出費を抑えて、移動時間の短縮、睡眠可能時間の確保が可能であることをユーザは知ることが可能となる。
【００７０】
なお、本実施形態では、上記で説明したような機能をスマートフォンが備えているものとして説明しているが、上記で説明したような機能をアプリケーションプログラムとして実現して、このアプリケーションプログラムをスマートフォンにインストールすることにより本実施形態のような携帯情報端末装置１０を構成するようにすることも可能である。
【００７１】
また、本実施形態では、終電が既に出発してしまい公共交通機関の運行が終了したような深夜の場合を用いて説明しているが、本発明はこのような場合のみを想定したものではない。例えば、地震等の災害や事故等により公共交通機関の運行が休止してしまいすぐには復旧しそうにないような場合においても同様に利用できるものである。
【符号の説明】
【００７２】
１０    携帯情報端末装置
１１    ＧＰＳ受信機
１２    地図情報格納部
１３    音声出力部
１４    スケジュールデータ格納部
１５    表示部
１６    操作部
１７    記憶部
１８    通信部
２０    制御部
２１    経路探索／案内部
２２    運行情報取得部
２３    宿泊施設情報取得部
２４    算出部
２５    比較提示部
４０    自宅
５０    会社
６０    宿泊施設
【図１】
2014174130.tif 000003
【図２】
2014174130.tif 000004
【図３】
2014174130.tif 000005
【図４】
2014174130.tif 000006
【図５】
2014174130.tif 000007
【図６】
2014174130.tif 000008
【図７】
2014174130.tif 000009